(57)【要約】【課題】パネル支持杆に疵を付けることなく、一人の作業者でパネルをパネル支持杆に作業性よく組み付けることができるパネル取付用防犯ピンを提供する。【解決手段】パネル支持杆１の外側に設けられたピン受け２と、パネル３の側部に設けられてピン受け２に載せられるピン受け４と、に上方から挿脱自在に挿入されるパネル取付ピン５と、パネル取付ピン５の上部と一体化され、パネル支持杆１に外側から嵌脱自在に嵌め込まれるピン保持体６と、パネル支持杆１に嵌め込まれたピン保持体６を、パネル支持杆１の内側から締結固定するための締結部材７と、を備えている。【選択図】  図３
0003109126.tif 000002
【実用新案登録請求の範囲】
【請求項１】
工事現場用等の仮設用門扉に用いられるパネル取付用防犯ピンであって、
パネル支持杆（１）の外側に設けられたピン受け（２）と、該ピン受け（２）に対応してパネル（３）に設けられたピン受け（４）と、に挿脱自在に挿入されるパネル取付ピン（５）と、
前記パネル取付ピン（５）の上部と一体化され、かつ、前記パネル支持杆（１）に嵌脱自在に嵌め込まれるピン保持体（６）と、
前記パネル支持杆（１）に嵌め込まれたピン保持体（６）を、パネル支持杆（１）の内側から締結固定するための締結部材（７）と、を備えたことを特徴とするパネル取付用防犯ピン。
【請求項２】
前記ピン保持体（６）は、前記パネル支持杆（１）に外嵌合されるように略コ字状に形成され、かつ、２本の前記パネル取付ピン（５）と一体化されることを特徴とする請求項１に記載のパネル取付用防犯ピン。
【請求項３】
工事現場用等の仮設用門扉に用いられるパネル取付用防犯ピンであって、
パネル支持杆（１）の外側に設けられたピン受け（２）と、該ピン受け（２）に対応してパネル（３）に設けられたピン受け（４）と、に挿脱自在に挿入されるパネル取付ピン（５）と、
前記パネル取付ピン（５）の上部と一体化され、かつ、前記パネル支持杆（１）の一側に着脱自在に取り付けられるピン保持体（６）と、
前記パネル支持杆（１）に取り付けられたピン保持体（６）を、パネル支持杆（１）の内側から締結固定するための締結部材（７）と、を備えたことを特徴とするパネル取付用防犯ピン。
【請求項４】
前記パネル支持杆（１）が、内向きフランジ部（１ａ）（１ａ）を備えたチャンネル材からなり、
前記ピン保持体（６）は、前面板（６１）と、その前面板（６１）の端部から後方に向けて折曲形成される側面板（６２）と、前面板（６１）の下部に外側に向けて折曲形成されて、パネル取付ピン（５）の上部が下面に溶接される取付部（６３）と、を有し、
前記締結部材（７）は、前記ピン保持体（６）の両側面板（６２）（６２）の後部間に嵌脱自在に嵌め込まれて、その両側を、締結手段（８）により、両側面板（６２）（６２）の後部に固定される固定板（９）と、該固定板（９）との間に、前記内向きフランジ部（１ａ）（１ａ）を挟持して、締結手段（１０）により、固定板（９）に締結固定される挟持板（１１）と、を備えたことを特徴とする請求項１乃至３の何れかに記載のパネル取付用防犯ピン。
【請求項５】
パネル支持杆（１）の両側に配設されるパネル（３）（３）は、請求項１に記載のパネル取付用防犯ピンによって取り付けられ、中央の合せ部の両側と両端に配設されるパネル支持杆（１）の片側に配設されるパネル（３）は、請求項３に記載のパネル取付用防犯ピンによって取り付けられることを特徴とする仮設用門扉。
【考案の詳細な説明】
【技術分野】
【０００１】
本考案は、工事現場や作業現場等の出入口に設けられる仮設用門扉に用いられるパネル取付用防犯ピン及びそのパネル取付用防犯ピンを用いた仮設用門扉に関する。
【背景技術】
【０００２】
工事現場や作業現場等の出入口に設けられる仮設用門扉は、工事や作業が終了すると、次の設置場所に運搬されて再度の使用に供されるため、通常、簡易な組立式のものが使用される。従来の仮設用門扉は、例えば、図７に示されるように、地上に立設された柱に支持された保持枠３１に取り付けたレール３２に、複数本のパネル支持杆３３を、走行可能な状態に吊り下げるように構成される。パネル支持杆３３の外側には、例えば、図８に示されるように、それぞれ円環状のピン受け３４が突設されており、これらのピン受け３４に、折り畳み可能としたパネル３５の側部に突設した円環状のピン受け３６を載せ、その両者のピン孔を一致させて、その上方からパネル取付ピン３７を挿脱可能に差し込むことによって、パネル支持杆３３にパネル３５を蛇腹状に取り付け、門扉を伸縮開放自在となるようにしている。
【０００３】
このような構成では、パネル支持杆３３の外側、すなわち、門扉の外側からパネル取付ピン３７を抜き取り、パネル支持杆３３からパネル３５を取り外すことができるため、その分解作業が容易であるという利点がある。しかし、このような利点が悪用されて、部外者が勝手にパネル３５を取り外して、その隙間から内部に侵入し建築資材等を持ち去ってしまうような盗難事件がしばしば発生した。なお、パネル取付ピン３７の下端には、回動操作することにより出没自在とした抜け止め体３８を設けているが、この抜け止め体３８は回動させれば簡単に引っ込むため、パネル取付ピン３７を抜き取ることができる。
【０００４】
そこで、このような事件の発生を未然に防止するために、例えば、図９に示すように、パネル支持杆３３の外側からパネル取付ピン３７を抜き取ることができないように、パネル取付ピン３７の頭部の直上位置にストッパー体３９を取り付けるようにした構成が提案されている（例えば、特許文献１参照）。この例では、パネル取付ピン３７の頭部の直上位置のパネル支持杆３３に配置したストッパー体３９を、パネル支持杆３３の内側からねじボルト４０で固定している。
【０００５】
【特許文献１】特許第３４０４５８４号公報
【考案の開示】
【考案が解決しようとする課題】
【０００６】
しかし、上記従来例（特許文献１）の構成では、パネル取付ピン３７をピン受け３６，３４に差し込んだ後でなければ、ストッパー体３９を取り付けることができないという作業手順上の制約があり、かつ、ストッパー体３９をパネル支持杆３３に対して内側からねじボルト４０で固定するので、門扉の組み付け時には、パネル支持杆３３の外側からパネル取付ピン３７をピン受け３６，３４に差し込む作業をする人と、パネル支持杆３３の内側からストッパー体３９の固定作業を行う人と、二人の作業者が必要とされる。
【０００７】
さらに、そのストッパー体３９を取り付けるために、パネル支持杆３３にねじ孔を形成するので、その穿孔作業が面倒である上に、パネル支持杆３３に疵を付けてしまうという難点があった。しかも、パネル支持杆３３にねじ孔を形成してしまうと、ストッパー体３９の固定位置が確定してしまうため、ねじ孔の位置を変更しない限り、ストッパー体３９の位置調整ができないという難点もあった。
【０００８】
本考案は、このような実情に鑑みてなされ、パネル支持杆に疵を付けることなく、一人の作業者でパネルをパネル支持杆に作業性よく組み付けることができるパネル取付用防犯ピン及びそのパネル取付用防犯ピンを用いた仮設用門扉を提供することを目的とする。
【課題を解決するための手段】
【０００９】
（１）本考案のパネル取付用防犯ピンは、パネル支持杆１の外側に設けられたピン受け２と、該ピン受け２に対応してパネル３に設けられたピン受け４と、に挿脱自在に挿入されるパネル取付ピン５と、
前記パネル取付ピン５の上部と一体化され、かつ、前記パネル支持杆１に嵌脱自在に嵌め込まれるピン保持体６と、
前記パネル支持杆１に嵌め込まれたピン保持体６を、パネル支持杆１の内側から締結固定するための締結部材７と、を備えたことを特徴とする。
【００１０】
このような構成によれば、出荷前に（または現場において）、ピン保持体６をパネル支持杆１に嵌め込んで内側から締結部材７によってスライド可能な程度に予め緩く締結した状態で仮固定しておき、パネル支持杆１の外側に付設されたピン受け２に、パネル３の側部に付設されたピン受け４を載せてピン孔を一致させた後、ピン保持体６を下方にスライドさせて、ピン孔に上方からパネル取付ピン５を挿入した後、締結部材７によりピン保持体６を本締結すれば、パネル支持杆１にパネル３を吊持させることができる。
【００１１】
このようなパネル３の吊持状態では、パネル取付ピン５がピン保持体６に一体化されており、かつ、ピン保持体６が締結部材７によってパネル支持杆１の内側から固定されているため、パネル３の外側からパネル取付ピン５が不用意に抜き取られる虞はなく、盗難等のトラブルの発生を防止することができる。
【００１２】
また、その組み付け作業では、作業者がパネル３の外側から、パネル３のピン受け４をパネル支持杆１のピン受け２に載せて、ピン保持体６をスライドさせてパネル取付ピン５をピン孔に挿入した後、作業者が内側にまわって、締結部材７によりピン保持体６をパネル支持杆１に対して本締結すればよく、一人の作業者でパネル３の組み付けを行うことができ、パネル支持杆１に疵を付けることもない。
【００１３】
さらに、ピン保持体６は、締結部材７の締結によりパネル支持杆１に固定されるため、パネル３の建て付け状態に応じて締結部材７の締結状態を調整することにより、ピン保持体６の固定位置を容易に変更することができる。そして、締結部材７の締結状態を解除すれば、パネル支持杆１からパネル３を容易に分離することができる。
【００１４】
（２）前記ピン保持体６は、前記パネル支持杆１に外嵌合されるように略コ字状に形成され、かつ、２本の前記パネル取付ピン５と一体化されてもよい。このようにすれば、パネル支持杆１の両側にパネル３，３を取り付けることができる。
【００１５】
（３）本考案のパネル取付用防犯ピンは、パネル支持杆１の外側に設けられたピン受け２と、該ピン受け２に対応してパネル３に設けられたピン受け４と、に挿脱自在に挿入されるパネル取付ピン５と、
前記パネル取付ピン５の上部と一体化され、かつ、前記パネル支持杆１の一側に着脱自在に取り付けられるピン保持体６と、
前記パネル支持杆１に取り付けられたピン保持体６を、パネル支持杆１の内側から締結固定するための締結部材７と、を備えることを特徴とする。
【００１６】
このような構成によれば、出荷前に（または現場において）、門扉の両側又は中央の合せ部に配設されるパネル支持杆１の一側にピン保持体６を取り付けて内側から締結部材７によってスライド可能な程度に予め緩く締結した状態で仮固定しておき、パネル支持杆１の外側に付設されたピン受け２に、パネル３の側部に付設されたピン受け４を載せてピン孔を一致させた後、ピン保持体６を下方にスライドさせて、ピン孔に上方からパネル取付ピン５を挿入した後、締結部材７によりピン保持体６を本締結すれば、パネル支持杆１にパネル３を吊持させることができる。
【００１７】
また、ピン保持体６は、締結部材７の締結によりパネル支持杆１に固定されるため、パネル３の建て付け状態に応じて締結部材７の締結状態を調整することにより、ピン保持体６の固定位置を容易に変更することができる。そして、締結部材７の締結状態を解除すれば、パネル支持杆１からパネル３を容易に分離することができる。
【００１８】
（４）上述のようなパネル取付用防犯ピンは、前記パネル支持杆１が、内向きフランジ部１ａ，１ａを備えたチャンネル材からなり、
前記ピン保持体６は、前面板６１と、その前面板６１の端部から後方に向けて折曲形成される側面板６２と、前面板６１の下部に外側に向けて折曲形成されて、パネル取付ピン５の上部が下面に溶接される取付部６３と、を有し、
前記締結部材７は、前記ピン保持体６の両側面板６２，６２の後部間に嵌脱自在に嵌め込まれて、その両側を、締結手段８により、両側面板６２，６２の後部に固定される固定板９と、該固定板９との間に、前記内向きフランジ部１ａ，１ａを挟持して、締結手段１０により、固定板９に締結固定される挟持板１１と、を備えてもよい。
【００１９】
このようにすれば、まず、出荷前に（または現場において）、パネル支持杆１の防犯ピン取付予定位置よりも少し上の位置に防犯ピンをスライドさせることができる程度に締結手段８，１０を手締めしておき、次いで、現場に機材を搬入した後、パネル支持杆１のピン受け２，２に、それぞれパネル３のピン受け４，４を載せ、仮固定してある防犯ピンをスライドさせて、パネル取付ピン５，５をピン受け２，２に挿入し、順次、同様の作業を繰り返し行い、パネル３をパネル支持杆１に対して仮吊持させる。次に、作業者が内側に回り込み、締結手段８，１０を本締めすることで、防犯ピンをパネル支持杆１に固定すれば、組み付け作業が完了する。
【００２０】
（５）本考案の仮設用門扉は、パネル支持杆１の両側に配設されるパネル３，３は、前記（１）項に記載のパネル取付用防犯ピンによって取り付けられ、中央の合せ部の両側と両端に配設されるパネル支持杆１の片側に配設されるパネル３は、前記（３）項に記載のパネル取付用防犯ピンによって取り付けられることを特徴とする。
【００２１】
このような構成によれば、中央の合せ部の両側と両端に配設されるパネル支持杆１の片側に配設されるパネル３と、その他のパネル支持杆１の両側に配設されるパネル３，３とで、隙間なくパネル３を張設することができ、その吊持状態では、パネル３の外側からパネル取付ピン５が不用意に抜き取られる虞はなく、盗難等のトラブルの発生を防止することができる。また、その組み付け作業は、一人の作業者で行うことができ、パネル支持杆１に疵を付けることもない。さらに、ピン保持体６は、締結部材７の締結によりパネル支持杆１に固定されるため、パネル３の建て付け状態に応じて締結部材７の締結状態を調整することにより、ピン保持体６の固定位置を容易に変更することができる。そして、締結部材７の締結状態を解除すれば、パネル支持杆１からパネル３を分離することができ、仮設用門扉を容易に撤収することができる。
【考案の効果】
【００２２】
本考案に係るパネル取付用防犯ピンは、パネル取付ピンをピン保持体に一体化させると共に、パネル支持杆に嵌め込んだピン保持体を、パネル支持杆の内側から締結部材により締結固定するので、パネルの外側からパネル取付ピンが不用意に抜き取られる虞はなく、盗難等のトラブルの発生を防止することができる。
【００２３】
また、その組み付け作業は、一人の作業者で行うことができ、パネル支持杆に疵を付けることもない。さらに、ピン保持体は、締結部材の締結によりパネル支持杆に固定されるため、パネルの建て付け状態に応じて締結部材の締結状態を調整することにより、ピン保持体の固定位置を容易に変更することができる。そして、締結部材の締結状態を解除すれば、パネル支持杆からパネルを容易に分離することができる。
【００２４】
本考案に係る仮設用門扉は、パネルの外側からパネル取付ピンが不用意に抜き取られる虞はなく、盗難等のトラブルの発生を防止することができる。また、その組み付け作業は、一人の作業者で行うことができ、パネル支持杆に疵を付けることもない。さらに、ピン保持体は、締結部材の締結によりパネル支持杆に固定されるため、パネルの建て付け状態に応じて締結部材の締結状態を調整することにより、ピン保持体の固定位置を容易に変更することができる。そして、締結部材の締結状態を解除すれば、パネル支持杆からパネルを分離することができ、仮設用門扉を容易に撤収することができる。
【考案を実施するための最良の形態】
【００２５】
以下に、本考案の最良の実施の形態に係るパネル取付用防犯ピン（以下、防犯ピンという）及びその防犯ピンを用いた仮設用門扉について図面を参照しつつ詳細に説明する。
図１（ａ）は防犯ピンの平面図、（ｂ）は背面図、図２（ａ）〜（ｃ）はパネル支持杆の両側に防犯ピンを組み付ける場合の説明図、図３は、パネル支持杆に対するパネルの組付対応図、図４（ａ）〜（ｃ）はパネル支持杆の片側に防犯ピンを組み付ける場合の説明図、図５（ａ）（ｂ）はパネル支持杆にパネルが組み付けられた状態の正面図である。
【００２６】
まず、図１乃至図３にて、符号１は、内向きフランジ部１ａ，１ａを備えたチャンネル材からなるパネル支持杆で、その上部にローラ（図示省略）を備えている。２は、パネル支持杆１の外側に付設されたピン受け、３は、２枚合せの折り畳み自在なパネル、４は、パネル３の側部に付設されたピン受け、５は、ピン受け２と、そのピン受け２に載せられたピン受け４と、に対して上方から挿脱自在に挿入されるパネル取付ピンである。
【００２７】
６は、パネル支持杆１に外側から嵌脱自在に嵌め込まれる略コ字状に形成されたピン保持体で、そのピン保持体６は、前面板６１と、その両端から後方に向けて折曲形成される側面板６２，６２と、前面板６１の下部に外側に向けて折曲形成されて、下面にパネル取付ピン５の上部（頭部）がスポット溶接等により一体化される取付部６３と、を有し、側面板６２にはボルト挿通孔６２ａが形成されている。
【００２８】
７は、パネル支持杆１に嵌め込まれたピン保持体６をパネル支持杆１の内側から締結固定するための締結部材で、ピン保持体６の両側面板６２，６２の後部間に嵌脱自在に嵌め込まれて、その両側を、締結手段８により、両側面板６２，６２の後部に固定される固定板９と、該固定板９との間に、前記パネル支持杆１の両側後部に折曲形成された内向きフランジ部１ａ，１ａを挟持して、締結手段１０により、固定板９に締結固定される挟持板１１と、を有する。
【００２９】
固定板９は、その両側が折曲されて略コ字状に形成され、中央部にボルト挿通孔９ａが形成され、その両側部には、ボルトからなる締結手段８を螺合締結させるためのねじ孔９ｂが形成されている。また、挟持板１１の中央部には、ボルトからなる締結手段１０を螺合締結させるためのねじ孔１１ａが形成されている。上述の締結手段８，１０は、それぞれスプリングワッシャ８ａ，１０ａを介して締結され緩い締結状態とする仮固定が可能である。
【００３０】
パネル支持杆１には、図３に示すように、ピン受け２が３段に設けられ、下２段のピン受け２に、上述の防犯ピンが取り付けられ、最上段のピン受け２，２には、長さの異なるピン軸１２，１３が挿脱自在に挿入され、そのピン軸１２，１３によってパネル３のピン受け４を回動自在に支持させるようにしている。ピン軸１２，１３は、ピン受け２に挿入される下軸部１２ａ，１３ａと、鍔部１２ｂ，１３ｂ、及び、パネル３のピン受け４に挿入される上軸部１２ｃ，１３ｃとからなる。
【００３１】
扉の合せ部及び扉の左右端部における（別の）防犯ピンは、パネル支持杆１の片側にのみ設けられ、その組み付け手順は、図４（ａ）〜（ｃ）に示される。この例では、パネル支持杆１の外側から見て右側にパネル３が組み付けられる場合を示す。ピン保持体６の取付部６３には、１本のパネル取付ピン５のみが溶接され、前面板６１の片側のみに側面板６２が連設形成されるため、固定板９の片側にのみ側面板６２が締結手段８によって一体化される。その他の点については、図２（ａ）〜（ｃ）に示す防犯ピンの構成と同じである。なお、パネル支持杆１の外側から見て左側にパネル３が組み付けられる場合は、図示を省略するが、パネル支持杆１の左側のピン受け２にパネル取付ピン５が対応するように、図４（ａ）〜（ｃ）に示す防犯ピンと対称に形成される。
【００３２】
パネル支持杆１にパネル３が組み付けられた状態は、図５（ａ）（ｂ）に示され、図５（ａ）は、パネル支持杆１の両側にパネル３，３が回動自在に組み付けられた状態の正面図、図５（ｂ）は、パネル支持杆１の片側にのみパネル３が回動自在に組み付けられた状態の正面図である。なお、パネル支持杆１の外側から見て左側にパネル３が組み付けられる場合は、図示を省略するが、図５（ｂ）と対称に現れる。
【００３３】
図６は、仮設用門扉の正面図である。この例では、地中に埋設した基礎の上に左右の柱１０１，１０１を立設し、その柱１０１，１０１に保持枠１０２を差し渡すように横架し、その保持枠１０２に取り付けられたレール１０３に、パネル支持杆１の上部に設けられているローラを乗せてパネル支持杆１を移動自在に吊持させ、そのパネル支持杆１にパネル３を組み付けている。左右の柱１０１，１０１には、高さの低いパネル支持杆１Ｅ，１Ｅがボルト締結により固定され、中央の合せ部１０４には、一対のパネル支持杆１，１が接離自在に対応する。従って、左右のパネル支持杆１Ｅ，１Ｅと、合せ部１０４のパネル支持杆１，１には、片側にのみパネル３が組み付けられる（図５（ｂ）参照）。なお、片側のパネル支持杆１Ｅに組み付けられるパネル３には、潜り戸３Ａが設けられている。
【００３４】
以上のように構成される仮設用門扉を組み立てる手順について説明すると、機材出荷前に、パネル支持杆１の防犯ピン取付予定位置よりも少し上の位置にスライドさせることができる程度に締結手段８，１０を手締めすることにより防犯ピンを仮固定しておく。現場に機材を搬入した後、パネル支持杆１をレール１０３に移動自在に吊持させた後、パネル支持杆１の最上段のピン受け２，２にピン軸１２，１３の下軸部１２ａ，１３ａを挿入し、上軸部１２ｃ，１３ｃにパネル３のピン受け４を嵌める。なお、上軸部１２ｃ，１３ｃの長さを異ならせているので、左右のパネル３のピン受け４を嵌めやすくなる。
【００３５】
次いで、パネル支持杆１の下２段のピン受け２，２に、それぞれパネル３のピン受け４，４を載せ、仮固定してある防犯ピンを下方にスライドさせて、パネル取付ピン５，５をピン受け４，２に挿入し、順次、同様の作業を繰り返し行い、全てのパネル３をパネル支持杆１に対して仮吊持させる。なお、左右のパネル支持杆１Ｅ，１Ｅと、合せ部１０４のパネル支持杆１，１においても、同様に、パネル３を仮吊持させる。次に、作業者が内側に回り込み、締結手段８，１０を本締めすることで、防犯ピンをパネル支持杆１に固定すれば、組み付け作業が完了する。このような組み付け作業は、一人の作業者で作業性よく行うことができ、パネル支持杆１に疵を付けることもない。
【００３６】
そのパネル３の吊持状態では、パネル取付ピン５がピン保持体６に一体化されており、かつ、ピン保持体６が締結部材７によってパネル支持杆１の内側から固定されているため、パネル３の外側からパネル取付ピン５が不用意に抜き取られる虞はなく、盗難等のトラブルの発生を防止することができる。また、パネル３の建て付け状態に応じて、締結手段８，１０を調整することで、ピン保持体６の固定位置を容易に変更することができる。そして、締結部材７の締結状態を解除すれば、パネル支持杆１からパネル３を分離することができ、仮設用門扉を容易に撤収することができる。
【００３７】
なお、本考案は、実施の形態に限定されることなく、考案の要旨を逸脱しない限りにおいて、適宜、必要に応じて、設計変更や改良等を行うのは自由である。例えば、パネル支持杆は、パンタグラフ状に連結されて下部に設けたローラで地上を移動するように構成されてもよく、パネル取付ピン５は、ピン保持体６の取付部６３に対してボルト締結や嵌合、係止等により取り付けられてもよい。
【図面の簡単な説明】
【００３８】
【図１】（ａ）は本考案の実施の形態に係るパネル取付用防犯ピンの平面図、（ｂ）は背面図である。
【図２】（ａ）は同パネル支持杆に対するパネル取付用防犯ピンの組み付け対応図、（ｂ）はパネル取付用防犯ピンをパネル支持杆に嵌め込んだ状態の斜視図、（ｃ）はパネル取付用防犯ピンをパネル支持杆に固定した状態の斜視図である。
【図３】同パネルのパネル支持杆に対する組み付け対応図である。
【図４】（ａ）は同パネル支持杆に対する別のパネル取付用防犯ピンの組み付け対応図、（ｂ）は別のパネル取付用防犯ピンをパネル支持杆に嵌め込んだ状態の斜視図、（ｃ）は別のパネル取付用防犯ピンをパネル支持杆に固定した状態の斜視図である。
【図５】（ａ）は同パネル支持杆の両側にパネルが組み付けられた状態の正面図、（ｂ）はパネル支持杆の片側にパネルが組み付けられた状態の正面図である。
【図６】同仮設用門扉の正面図である。
【図７】従来の仮設用門扉の正面図である。
【図８】同パネル支持杆に対するパネルの組み付け状態の斜視図である。
【図９】同パネル支持杆に対する別のパネルの組み付け状態を示す斜視図である。
【符号の説明】
【００３９】
１…パネル支持杆、１ａ…フランジ部、２，４…ピン受け、３…パネル、５…パネル取付ピン、６…ピン保持体、６１…前面板、６２…側面板、６３…取付部、７…締結部材、８，１０…締結手段、９…固定板、１１…挟持板
【図１】
0003109126.tif 000003
【図２】
0003109126.tif 000004
【図３】
0003109126.tif 000005
【図４】
0003109126.tif 000006
【図５】
0003109126.tif 000007
【図６】
0003109126.tif 000008
【図７】
0003109126.tif 000009
【図８】
0003109126.tif 000010
【図９】
0003109126.tif 000011
【手続補正書】
【提出日】平成17年1月11日(2005.1.11)
【手続補正１】
【補正対象書類名】図面
【補正対象項目名】図１
【補正方法】変更
【補正の内容】
【図１】
0003109126.tif 000012